(57)【要約】【課題】従来、釣り愛好家には、ルアーＲ等を自分の好みの形や外観のものに手作りする、或いは工夫して手直しを加える等の強い要求があり、これらの行為が釣り愛好家としての大きな楽しみともなっていた。しかし、これらの製作や加工には相応の加工技術が必要で容易にできるものではなかった。本発明は、誰にでも簡単に迅速対応可能で便利な釣果向上手段を提供すること。【解決手段】  不定形の凹凸部Ｇを有するアルミシート部Ｗと、該アルミシート部Ｗの片面に形成された粘着層部Ｎと、該粘着層部Ｎに剥離自在に貼り付けられた剥離シート部Ｐとで構成される釣り具用貼付シートＣを提供し、この釣り具用貼付シートＣを適宜、カットしてルアーＲ等の任意の箇所に思いの大きさ、形状で貼り付けることにより釣り人独自の釣り用具に仕立てて、釣果向上を図ることを可能とした。【選択図】図１
2011211992.tif 000002
【特許請求の範囲】
【請求項１】
アルミシート部と、該アルミシート部の片面に形成された粘着層部と、該粘着層部に剥離自在に貼り付けられた剥離シート部とよりなる釣り具用貼付シートであって、アルミシート部が不定形の凹凸部を有することを特徴とする釣り具用貼付シート。
【請求項２】
凹凸部は、アルミシート部を一旦、多方向から圧縮して丸めた後、再び展開することを１回、又は複数回繰り返して形成されるものであることを特徴とする請求項１記載の釣り具用貼付シート。
【請求項３】
アルミシート部と剥離シート部の同位置に、所要間隔で全幅通しの分断用スリット部が設けられていることを特徴とする請求項１記載の釣り具用貼付シート。
【請求項４】
アルミシート部を複数色に色分けし、この色分けした境界線に全幅通しの分断用スリット部が形成されていることを特徴とする請求項１記載の釣り具用貼付シート。
【請求項５】
アルミシート部と剥離シート部の端部近傍に防皺のための分断可能なショートスリット部が形成されていることを特徴とする請求項１、３又は４のいずれか一項に記載の釣り具用貼付シート。
【請求項６】
請求項１、３、４又は５のいずれか一項に記載の釣り具用貼付シートが貼付けられた釣用ルアー。
【請求項７】
請求項１、３、４又は５のいずれか一項に記載の釣り具用貼付シートが貼付けられた釣用錘。
【請求項８】
請求項１、３、４又は５のいずれか一項に記載の釣り具用貼付シートが貼付けられた釣用浮。
【発明の詳細な説明】
【技術分野】
【０００１】
本発明は、ルアーフィッシング等に用いられるルアーや釣用錘、釣用浮などに貼り付けて釣果を向上させるための釣り具用貼付シートに関する。
【背景技術】
【０００２】
ルアーフィッシングには、疑似餌としてルアーやワームが用いられる。
ルアーやワームはその姿、形を小魚や虫等に成形したものであるが、これらには、単に姿、形のみでなく色を付ける、光を発する、音を出す、振動する等の機能を付与して釣果向上を図っている。
【０００３】
これらの釣果向上手段は、釣り具メーカーがルアーやワームを製造する際に付与されるものであって、使用者の立場からは、その好みにあったものを購入することで選択可能となっている。
【０００４】
釣果向上手段の一つにルアーにシール加工を施すものが提案されている。
例えば、特許文献１に見られるようにルアーの内部、外部に透光可能な反射シールをインサート、或いは全表面に貼り付けるものが挙げられるが、これも釣り具メーカーによる加工手段である。
【０００５】
また、釣り具用部材に後付でシート加工を施す手段について、特許文献２に示されるようにシールを釣り竿に貼り付ける手段が提案されているが、これは釣り竿にメーカー名や商品タイプ名をとりつけるものや意匠効果を向上させるものであって、釣果向上手段ではない。
【０００６】
以上のようなメーカーが実施する加工手段に対して、釣り愛好家の立場からは、ルアー等の釣り具を、自分の好みの形や外観のものに手作りする、或いは工夫して手直しを加える等の強い要求があり、これらの行為が愛好家としての大きな楽しみともなっている。
しかし、これらの製作や加工には相応の加工技術が求められ容易にできるものとは言い難い。
そこで、釣り愛好家の中では、誰にでも簡単に対応可能で便利な釣果向上手段が求められてきた。
【０００７】
また、釣り愛好家には、海、川、湖などにおいて、その水面、水中環境や天候などの状況に応じた釣り具の選択、組み合わせ等が求められ、その設定が釣り愛好家の腕の見せ所ともなっていて、釣り現場での即時対応可能な釣果向上手段が求められている。
ところが、その対応策としては、準備してきたルアーの交換等が実施可能な手段の主流となっていて、釣り愛好家の満足を得ている状況ではなかった。
【先行技術文献】
【特許文献】
【０００８】
【特許文献１】特開２００２−３４３９１号
【特許文献２】特開平６−１７８６３５号
【発明の概要】
【発明が解決しようとする課題】
【０００９】
本発明は以上のような諸事情を背景になされたものである。
すなわち本発明の目的は、従来のような釣果向上手段がメーカー提供の釣り具の選択や組み合わせよってのみであったことに対し、釣り愛好家の手により、そして釣り愛好家の判断により、釣り具に簡単に光の乱反射機能を付与して魚の視覚を刺激して釣果を得ることや、形状に変化を与えてルアーＲの存在を魚にアピールすることが可能な釣り具用貼付シートＣを提供するところにある。
【課題を解決するための手段】
【００１０】
上記課題を解決するために、アルミ箔Ａ等に不定形の細かな凹凸部Ｇを形成してアルミシート部Ｗとし、その片面に粘着材を塗布して粘着層部Ｎとなし、その粘着層部Ｎ表面に剥離自在の剥離シートを貼り付けて剥離シート部Ｐとした釣り具用貼付シートＣを提供する本発明の完成に至った。
【００１１】
即ち、本発明は、（１）、アルミシート部Ｗと、該アルミシート部Ｗの片面に形成された粘着層部Ｎと、該粘着層部Ｎに剥離自在に貼り付けられた剥離シート部Ｐとよりなる釣り具用貼付シートＣであって、アルミシート部Ｗが不定形の凹凸部Ｇを有する釣り具用貼付シートＣに存する。
【００１２】
そして、（２）、凹凸部Ｇは、アルミシート部Ｗを一旦、多方向から圧縮して丸めた後、再び展開することを１回、又は複数回繰り返して形成されるものである上記（１）記載の釣り具用貼付シートＣに存する。
【００１３】
そしてまた、（３）、アルミシート部Ｗと剥離シート部Ｐの同位置に、所要間隔で全幅通しの分断用スリット部Ｓ１が設けられている上記（１）記載の釣り具用貼付シートＣに存する。
【００１４】
そしてまた、（４）、アルミシート部Ｗを複数色に色分けし、この色分けした境界線に全幅通しの分断用スリット部Ｓ１が形成されている上記（１）記載の釣り具用貼付シートＣに存する。
【００１５】
そしてまた、（５）、アルミシート部Ｗと剥離シート部Ｐの端部近傍に防皺のための分断可能なショートスリット部Ｓ２が形成されている上記（１）、（３）又は（４）のいずれか一つに記載の釣り具用貼付シートＣに存する。
【００１６】
そしてまた、（６）、上記（１）、（３）、（４）又は（５）のいずれか一つに記載の釣り具用貼付シートＣが貼付けられた釣用ルアーＲに存する。
【００１７】
そしてまた、（７）、上記（１）、（３）、（４）又は（５）のいずれか一つに記載の釣り具用貼付シートＣが貼付けられた釣用錘Ｍに存する。
【００１８】
そしてまた、（８）、上記（１）、（３）、（４）又は（５）のいずれか一つに記載の釣り具用貼付シートＣが貼付けられた釣用浮に存する。
【００１９】
なお、本発明の目的に添ったものであれば、上記発明の（１）〜（８）を適宜組み合わせた構成も採用可能である。
【発明の効果】
【００２０】
本発明の釣り具用貼付シートＣは、アルミシート部Ｗの片面に粘着層部Ｎが形成され、その表面に剥離シート部Ｐが貼り付けられたシンプル構造の部材であるので薄くて軽量であり、持ち運びに便利で、釣り現場等で容易に適宜な大きさにカットし、ルアーＲやワーム、釣用錘Ｍに貼り付けて釣果向上を図ることができる利点がある。
また、ルアーＲや釣用錘Ｍのどの箇所に、どのような形で貼り付けるかは釣り人の好みにより自在であるので、釣りのおもしろみが存分に味わえる長所がある。
【００２１】
そして、本釣り具用貼付シートＣのアルミシート部Ｗに凹凸部Ｇを形成する際には、一旦、手でアルミ箔Ａを丸めて、これを再び展開するといった手順を１回、又は複数回繰り返すことを基本原理とする加工法を採用しているので、再現性のない不定形の凹凸部Ｇが形成されると同時に凹凸部Ｇの粗密についても、その調整が容易であり、アルミシート部Ｗに光が当たった際には複雑な乱反射が得られて魚への視覚的アピール度が極めて高くなる効果が得られる。
【００２２】
そして、本釣り具用貼付シートＣは、柔軟なアルミシート部Ｗと粘着層部Ｎで構成されていので、ルアーＲ等に貼り付ける際、故意に襞を形成して貼り付けたりするなど形状に変化を付けて貼り付けることや、アルミシート部Ｗの表面を爪等で擦ることによりその表面に変化を付けることが容易にできるなどの特徴がある。
また、ルアーＲのボディーにヒレなどに似せて貼り付けることで釣用ルアーＲの水中挙動に変化を持たせ購入時の釣用ルアーＲとは異なるものに仕立てることが可能となる。
【００２３】
そして、本釣り具用貼付シートＣに適宜な間隔に分断用スリット部Ｓ１が設けられている場合には、本釣り具用貼付シートＣを手でちぎってルアーＲや釣用錘Ｍ等に貼り付けることができるのでハサミやナイフを必要とせず、釣り現場での作業等を容易に、迅速に行うことができる利点がある。
【００２４】
そして、本釣り具用貼付シートＣに設けられた分断用スリット部Ｓ１に加えて、釣り具用貼付シートＣの端部近傍に防皺のための分断可能なショートスリット部Ｓ２が形成されている場合には、分断用スリット部Ｓ１で分断した釣り具用貼付シートＣを部分によって太さの異なるルアーＲや釣用錘Ｍに貼り付ける際、ショートスリット部Ｓ２を切り開き、小径の部分に巻き付ける時に生ずる余り部分を重ねて貼り付けることができるので、釣り具用貼付シートＣが皺となって盛り上がることが無く、すっきりと綺麗に貼り付けることができる利点がある。
【００２５】
そして、本釣り具用貼付シートＣのアルミシート部Ｗが複数色に色分けされ、同時に色分けした境界線に分断用スリット部Ｓ１が形成されている場合には、１枚の釣り具用貼付シートＣを購入するのみで多様な使い分けができ、釣果向上に加えて経済的な効果も得られる。
【００２６】
そして、本釣り具用貼付シートＣがルアーＲ、釣用錘Ｍ、釣用浮等に釣り愛好家の好みにより自在に貼り付けられた場合には、購入したルアーＲ等に釣果向上のための新たな機能が付与され、釣果向上に対する付加価値が大きくなる利点がある。  
【図面の簡単な説明】
【００２７】
【図１】図１は、アルミシート部と粘着層部と剥離シート部とからなる釣り具用貼付シートの外観図と一部を拡大した実態模式図である。
【図２】図２は、アルミ箔を丸めて再び展開する流れ説明図である。
【図３】図３は、分断用スリット部を有する釣り具用貼付シートの実態模式図である。
【図４】図４は、分断用スリット部とショートスリット部を有する釣り具用貼付シートの実態模式図である。
【図５】図５は、釣用錘にショートスリット部を有する釣り具用貼付シートを貼り付けた実態模式図である。
【図６】図６は、釣用錘に釣り具用貼付シートの細片を貼り付けた実態模式図である。
【図７】図７は、ルアーのリップとボディーに釣り具用貼付シートを用いて、リップに取り付けリップを付け、同時にボディーに取り付けヒレを付けた実態模式図である。
【図８】図８は、図７で示したルアーの実態模式図であり、図８（Ａ）は正面図、図８（Ｂ）は斜視図である。
【発明を実施するための形態】
【００２８】
以下、必要に応じて図面を参照しつつ、本発明の好適な実施形態について詳細に説明する。
（第１の実施の形態）  
図１は、本発明の第１の実施の形態を示す実体模式図である。
本実施の形態における釣り具用貼付シートＣは、凹凸部Ｇを形成されたアルミシート部Ｗと、その片面に形成された粘着層部Ｎと、該粘着層部Ｎの表面に貼り付けられた剥離シート部Ｐとで構成されている。
アルミシート部Ｗにはアルミ箔Ａが用いられ、その厚さは、例えば、１５０ミクロンから２００ミクロンのものを用いている。
アルミ箔Ａは一方は鏡面仕上げで光沢が強く、裏面は鈍い光沢となっている。
なおアルミシート部Ｗは、アルミ箔Ａ以外のそれに準ずる金属箔でも本発明の目的から脱することがない範囲で含まれるものである。
【００２９】
このいずれを表面として使用するかは自由であるが、本実施の形態では、光沢の強い側を表として用いている。
このアルミ箔Ａにランダムな凹凸部Ｇを形成するが、その方法は、図２に示すように基本的に圧縮及び展開の２操作により行う。
すなわちアルミ箔Ａを丸めるように圧縮してランダムな皺を付け、これを再び拡げるよう展開すると皺跡が残って、その結果、アルミ箔Ａに凹凸部Ｇが形成されるのである。
そして展開の度合いによっては凹凸部Ｇの深さを異にすることができる。
展開度を強くすればするほど凹凸部Ｇの深さは浅くなり、逆に弱くすれば浅くなる。
【００３０】
一方、この凹凸部Ｇの粗密は、圧縮の度合いによって異なる。
つまり、強く圧縮して体積を小さくするほど皺が多くなり凹凸部Ｇは細かくなる。
よって、深く且つ細かい凹凸部Ｇを求める場合には、強い圧縮をかけ、展開は弱めに行うこととなる。
【００３１】
一方、凹凸部Ｇの粗密については、圧縮と展開の繰り返しも影響する。
つまり、一旦、圧縮したアルミ箔Ａを展開し、再び圧縮して展開することを少なくとも繰り返せば、密度の高い凹凸部Ｇが形成され、光の乱反射も複雑となる。
本実施の形態では、１回、又は複数回繰り返し、例えば２〜３回の繰り返しを行ってアルミシート部Ｗを形成している。
この圧縮と展開についてはハンド手法でも機械的手法でもいずれでも可能である。
以上述べた「圧縮」→「展開」という簡単な操作工程で、極めてランダムな凹凸部Ｇが形成されるので、製造も簡単である。
【００３２】
次に、上記の手段で得られたアルミシート部Ｗの裏面に粘着層部Ｎを形成している。
この粘着層部Ｎは粘着剤を塗布して形成される。
粘着剤を塗布する際、凸部の下方に空隙Ｋを形成する場合と、空隙Ｋを充填してしまう場合がある。
このような粘着層部Ｎによって特有の機能が発揮できる。
例えば、前者の場合は、釣り具用貼付シートとして比重が軽くなり浮力が上がるが、後者の場合はその逆となる。
また前者の場合は、現場で指等を使って扱くことで凸部を一方向に倒すことが容易である。
そのため浮きやルアーに用いた場合に水に対する抵抗に方向性を与えることができる。
【００３３】
本実施の形態では、粘着剤に感圧型のゴム系やアクリル系を使用している。
粘着剤としては、この他、溶剤型、感熱型、反応型等があるが、本実施の形態では、使い勝手の良さから指で押さえる程度の力で接着可能な感圧型を採用している。
しかし、長い間、水中で使用しても剥がれないレベルの接着力を望む場合は、他のタイプを採用することは当然可能である。
そして、粘着層部Ｎの表面には剥離シート部Ｐが貼り付けられる。
剥離シート部Ｐは、釣り具用貼付シートＣをカットして対象物に貼り付ける際に簡単に剥がすことができる。  
【００３４】
（第２の実施の形態）
図３は、本発明の第２の実施の形態を示す実体模式図である。
本実施の形態における釣り具用貼付シートＣには、使用者が簡単に釣り具用貼付シートＣをカットできるようアルミシート部Ｗと剥離シート部Ｐの同一箇所に端から端へ通した全幅通しの分断用スリット部Ｓ１が設けられている。
分断用スリット部Ｓ１は、適宜の間隔をもって設けられるが、例えば、５mm〜１cmの間隔で設けられる。必要に応じては更に小さい間隔や大きな間隔で設けることができる。
分断用スリット部Ｓ１が５mm〜１cmの間隔で設けられていれば、細い幅の釣り具用貼付シートＣが必要な場合は、１間隔を用い、広い幅の釣り具用貼付シートＣが必要であれば２〜３間隔分をカットして用いることができる利点がある。
ここで分断用スリット部Ｓ１は、切り離し容易なものをいい、例えば、ミシン目、ハーフカット、薄肉加工等がある。
【００３５】
（第３の実施の形態）
図４は、本発明の第３の実施の形態を示す実体模式図である。
本実施の形態における釣り具用貼付シートＣには、第２の実施の形態で示した全幅通しの分断用スリット部Ｓ１に加えて、釣り具用貼付シートＣの全幅の途中までのショートスリット部Ｓ２が設けられる。
ショートスリット部Ｓ２は、全幅通しの分断用スリット部Ｓ１間の中間位置に全幅の略半分の長さで適宜数設けられる〔図４（Ａ）参照〕。
ここでショートスリット部Ｓ２は、切り離し容易なものでも、既にカットされたものでもよい。
本実施の形態におけるショートスリット部Ｓ２入りの釣り具用貼付シートＣは、ルアーＲや釣用錘Ｍのように部分的にその太さが異なる釣り用具に貼り付ける際に有用である。
細い所ではショートスリット部Ｓ２を分断し、余った部分を重ね張りすれば良い。
図４（Ｂ）は、釣り具用貼付シートＣの両側にショートスリット部Ｓ２が設けられている他の例を示すものである。
後述するように、上下が先細りの釣用錘Ｍ等に適用すると便利である。
【００３６】
（第４の実施の形態）
上記のショートスリット部Ｓ２の使い方を第４の実施の形態として実態模式図により説明する。
つまり、図５に示すように、上下が先細りの釣用錘Ｍに、分断用スリット部Ｓ１とショートスリット部Ｓ２を設けた本釣り具用貼付シートＣを巻き付けて貼り付ける場合、目測でその太い部分の円周分に見合う幅分の釣り具用貼付シートＣを分断用スリット部Ｓ１の箇所で分断する。
その後、剥離シート部Ｐを取り除いて釣用錘Ｍに巻き付ける。
ここで、釣用錘Ｍの太い部分にはあまり部分もなく巻き付けることができる。
【００３７】
しかし、釣用錘Ｍの円錐台状に上下に向かって先細りした部分では、釣り具用貼付シートＣにあまり部分が出てそのまま巻き付けると余分の部分が逃げようとして屈曲して浮き上がりヒダとなって突出した形となる。
そこでショートスリット部Ｓ２を引き離して重ね貼り部Ｓ３を設ければ、円錐台状の部分にすっきりした状態で巻き付けることが可能となる。
【００３８】
もっとも屈曲したヒダを出すことによる効果を積極的に求める場合においては、重ね張り部Ｓ３を設ける処置は必要がないことは言うまでもない。
以上のように、分断用スリット部Ｓ１やショートスリット部Ｓ２は、使い勝手をよくするために設けられたものであり、現場でハサミやナイフを使用する手間を省く効果が得られる。
【００３９】
（第５の実施の形態）
図６は、第５の実施の形態を示す模式図である。
本実施の形態では、釣用錘Ｍに釣り具用貼付シートＣを貼り付ける際、釣用錘Ｍの表面に部分的に釣り具用貼付シートＣの細片Ｃ１を貼り付ける。
細片Ｃ１の形状は本実施の形態では短冊形のものを主として使用し、他に三角形状のものや変形したものも使用できる。
この三角形状のものや変形した細片Ｃ１は、釣り具用貼付シートＣをカットして他の目的に使用した後の、言うなれば切りクズを用いることができる。
【００４０】
以上のように部分的に釣り具用貼付シートＣの細片Ｃ１を貼り付けることにより、釣用錘Ｍがあたかも幼魚が群遊している様に見えて魚の視覚を刺激し、釣果向上が見られる。
加えて、切りクズが無駄にならない経済的効果も得ることができる。
尚、この点はこの点は釣り用浮にも適用できる。
【００４１】
（第６の実施の形態）
本実施の形態における釣り具用貼付シートＣ（図示しない）は、一定の幅ごとに色分けがされている。
そして、その色分けの境界線部には、第２の実施の形態で説明した分断用スリット部Ｓ１が設けられている。
このような設定によれば、釣り愛好家の好み、判断により選択した色の釣り具用貼付シートＣをカットして用いることが可能となる。
スリット部が設けられている利便性に加えて、１枚の釣り具用貼付シートＣを購入すれば多色の使い分けができ、経済的効果も得られる。
【００４２】
（第７の実施の形態）  
図７は、本発明の第７の実施の形態を示す実体模式図である。
本実施の形態においては、ルアーＲに釣り具用貼付シートＣを貼り付けた実際例について説明する。
今、釣り具用貼付シートＣをルアーＲの胴体に巻き付け、その内の一部をヒレ形状に外側に張り出し、取り付けヒレＦを形成する。
このことで水中での光の乱反射効果と挙動変化効果を得て、魚の視覚、聴覚等に訴えることで釣果向上を得るものである。
【００４３】
この場合、ヒダを形成せず単に釣用ルアーＲの胴体に釣り具用貼付シートＣを貼り付けるだけでも良い。
また、使用する釣り具用貼付シートＣは第６の実施の形態に示した色付けされたものでも良い。
取り付けヒレＦについては、その形状、枚数、取り付け位置などの設定は自在であり、釣り愛好家の腕の見せ所となって釣りの醍醐味が増大する。
図８には、図７で示したルアーＲを正面から見た実態模式図を示す。
【００４４】
（第８の実施の形態）
図８は、本発明の第８の実施の形態を示す実体模式図〔図８（Ａ）、図８（Ｂ）は、それぞれ正面図、斜視図〕である。
本実施の形態においては、釣り具用貼付シートＣを適宜の形状にカットしルアーＲのリップＬに貼り付け、取り付けリップＣＬを形成する。
リップＬはルアーＲのヘッドの下方に設けられた水中潜行のための部材であるが、このリップＬの大きさ、角度によりルアーＲの水中挙動が変化する。
角度が下方に向けられて製造されているものは深く潜行しようとするし、大きなリップＬは潜行力も大きくなる。
購入段階で付随しているリップＬに釣り具用貼付シートＣを、釣り愛好家の判断で適宜の大きさにカットして貼り付け、取り付けリップＣＬを形成することが腕の見せ所となり大きな楽しみとなる。
【００４５】
以上、本発明をその実施の形態を例に説明したが、本発明は要旨の変更がない限り、実施の形態のみに限定されるものではなく多様な変形例が可能である。
例えば、全幅通しのスリット部は一定間隔で設けられることを基本とするが、１枚の釣り具用貼付シートＣの中でその間隔を変えることも当然可能である。
このことで、一枚の釣り具用貼付シートＣの中で使用目的に応じた最適幅の釣り具用貼付シートＣを選択し、切り取ることが可能となる。
【００４６】
或いは、色分けした釣り具用貼付シートＣの場合、その分断用スリット部Ｓ１が色の境界線に必ずしも存在する必要はなく、任意の箇所に設けることができることなどは言うまでもない。
また、アルミシート部Ｗは、要するに光を反射し、皺付けが容易な金属箔であれば良く、その素材を選ばない。
更には粘着層部Ｎの粘着剤についてもアルミシート部Ｗと対象物であるルアーＲ等に粘着するものであれば、これも素材を選ぶものではない。
そして、全幅通しの分断用スリット部Ｓ１についても、使用前の不用意な分断を防ぐために全幅の一部を少々残しておくことなども当然可能である。  
【産業上の利用可能性】
【００４７】
本発明の釣り具用貼付シートは、ルアーや釣用錘、或いは釣用浮等の魚の視覚に入る範囲内で使用される釣り用具に貼り付けて、魚の視覚、聴覚等に訴え、注意を引きつけ、その存在を示し釣果向上を図るものであるが、これらの効果に加えて、釣り現場で発生した問題に対しての応急的措置機能も有する。
例えば、小さな釣用錘しか手持ちに無い場合、複数個の釣用錘を本釣り具用貼付シートでまとめて１個の釣用錘として使用することや、釣り竿の一部が破損した際に本釣り具用貼付シートを補強材として貼り付けて対応すること等が可能となる。
また、ルアーフィッシング以外の釣りにおいても多くの目的で使用可能であることは言うまでもない。
【符号の説明】
【００４８】
Ｃ…釣り具用貼付シート
Ｃ１…細片
Ｗ…アルミシート部
Ｎ…粘着層部
Ｐ…剥離シート部
Ｇ…凹凸部
Ａ…アルミ箔
Ｓ１…分断用スリット部
Ｓ２…ショートスリット部
Ｓ３…重ね貼り部
Ｍ…釣用錘
Ｒ…ルアー
Ｌ…リップ
ＣＬ…取り付けリップ
Ｆ…取り付けヒレ
【図１】
2011211992.tif 000003
【図２】
2011211992.tif 000004
【図３】
2011211992.tif 000005
【図４】
2011211992.tif 000006
【図５】
2011211992.tif 000007
【図６】
2011211992.tif 000008
【図７】
2011211992.tif 000009
【図８】
2011211992.tif 000010